(57)【要約】      （修正有）【課題】複数のドライバービット、コネクタ、ソケットレンチを収納することができると共に、盗難防止機能も兼ね備えた手工具収納装置を提供する。【解決手段】手工具収納装置は、収容部材１０と、保持カバー２０とを有する。その内、該収容部材１０は、細長形の本体１０１と、複数のドライバービットを収納するために、該本体１０１の両側にそれぞれ間隔をおいて形成される。又、それぞれ同一方向へ向かって傾斜して配列される複数の収容溝１０２と、該各収容溝１０２の両側から延出する一対の位置決めリブ１０３と、該本体１０１の一端に穿設される枢設孔１０４と、該本体１０１の他端に形成される掛合凸部１０５と、該本体１０１の底面に長手方向に沿って設置される収納チューブ１０６とを備える。【選択図】図２
0003162962.tif 000002
【実用新案登録請求の範囲】
【請求項１】
本体と、該本体に形成されると共に、ドライバービットを収納するための複数の収容溝と、該各収容溝の両側から延出する一対の位置決めリブと、該本体の一端に穿設される枢設孔と、該本体の他端に形成される掛合凸部とを備える収容部材と、
カバー部材と、該カバー部材の両側からそれぞれ下方向に向かって延出すると共に、前記複数の収容溝をカバーする一対の保持部と、該一対の保持部の一端内面から互いに接近するように延出すると共に、回転可能に前記収容部材の枢設孔に枢設される軸部と、該カバー部材における、軸部が設けられる端と反対する他端から下方向に向かって延出する掛合部と、該掛合部の内面に凸設されると共に、着脱可能に前記掛合凸部に掛合される掛合フックとを備え、回転可能に前記収容部材に枢設される保持カバーとを有することを特徴とする手工具収納装置。
【請求項２】
前記保持カバーはさらに、カバー部材の中央に結合孔が形成され、
さらに、吊り下げ部材は、前記保持カバーと結合し、吊り下げ本体と、該吊り下げ本体の一端上部から延出する結合板と、該結合板の底面に凸設されると共に、前記結合孔に嵌入される嵌合凸部と、該吊り下げ本体の他端に設置される掛け部と、該吊り下げ本体の外側面に形成される挟持部と、該結合板から延出する収容フックとを備えることを特徴とする請求項１に記載の手工具収納装置。
【請求項３】
前記掛合凸部が前記本体に凸設されるブロックであることを特徴とする請求項２に記載の手工具収納装置。
【請求項４】
収納チューブは、前記本体の底面に設置され、軸方向に沿って穿設される貫通孔を有し、
前記掛合部が該収納チューブの開口をカバーすることを特徴とする請求項１乃至３の何れか１項に記載の手工具収納装置。
【請求項５】
前記一対の位置決めリブの外端の相対する内面にそれぞれ内凸部が凸設されることを特徴とする請求項４に記載の手工具収納装置。
【請求項６】
前記カバー部材と掛合部との間に嵌合環溝が凹設されることを特徴とする請求項５に記載の手工具収納装置。
【考案の詳細な説明】
【技術分野】
【０００１】
本考案は、特に複数のドライバービットを綺麗に収納すると共に、盗難防止の機能も備える手工具収納装置に関するものである。
【背景技術】
【０００２】
従来の手工具は、収容本体と、開閉可能に該収容本体に設置されるカバー部材とを有するものであり、その内、該収容本体の上面に、サイズが異なるドライバービットを収容することができる複数の収容凹部が凹設され、また、そのドライバービットは、収容凹部の縦方向に沿って着脱することができる。
【考案の概要】
【考案が解決しようとする課題】
【０００３】
しかしながら、従来の手工具収納装置は、体積が大きく、片手で簡単に使うことができない。例えば、収容されたドライバービットを取り出す時には、片手で収容本体を持ち、他方の手でカバー部材を開けてからドライバービットを取り出さなくてはならず、さらに、電動ドライバのドライバービットを交換する場合には、既有のドライバービットを取り外して新たにドライバービットを取り付ける必要があるので、複雑で手間がかかり、非常に不便であった。
【０００４】
更に、サイズが異なるドライバービットは、それぞれ適当な収容凹部と対応して配置されるため、決まった収容凹部に配置しなくてはならないことから、収容し難いという問題があった
【０００５】
また、多くのドライバービットを頻繁に交換する場合は、通常、使用者がドライバービットを一々収容凹部に戻すことはせず、しばらく放置することがよくあったが、その場合、不注意でドライバービットを失くしてしまうこともあるので、経済的ではなく、実用性にも優れない。
【課題を解決するための手段】
【０００６】
本考案に係る手工具収納装置は、収容部材と、保持カバーとを有し、そのうち該収容部材は、本体と、該本体に形成されると共に、ドライバービットを収納するための複数の収容溝と、該各収容溝の両側から延出する一対の位置決めリブと、該本体の一端に穿設される枢設孔と、該本体の他端に形成される掛合凸部とを備え、
前記保持カバーは、回転可能に前記収容部材に枢設されると共に、カバー部材と、該カバー部材の両側からそれぞれ下方向に向かって延出すると共に、前記複数の収容溝をカバーする一対の保持部と、該一対の保持部の一端内面から互いに接近するように延出すると共に、回転可能に前記収容部材の枢設孔に枢設される軸部と、該カバー部材における、軸部と反対する一端から下方向に向かって延出する掛合部と、該掛合部の内面に凸設されると共に、着脱可能に前記係合部に掛合される掛合フックとを備えるものである。
【０００７】
更に、前記保持カバーは吊り下げ部材と結合されると共に、カバー部材の中央に結合孔が穿設され、該吊り下げ部材は、吊り下げ本体と、該吊り下げ本体の上部から延出する結合板と、該結合板の底面に凸設されると共に、前記結合孔に嵌入される嵌合凸部と、該吊り下げ本体の他端に設置される掛け部と、該吊り下げ本体の外側面に形成される挟持部と、該結合板から延出する収容フックとを備えるものである。
【０００８】
尚、前記保持カバーを収容部材にカバーするように掛合するために、前記掛合凸部は、前記本体に凸設されるブロックであることが好ましい。
【０００９】
さらに、前記収納チューブは、コネクタを脱落しないように収納するために、前記本体の底面に設置されると共に、該コネクタを収容する軸方向に沿って貫通孔が穿設されるので、前記掛合部が該収納チューブの開口をカバーすることによりコネクタの脱落を防止する効果がある。
【００１０】
また、ドライバービットを側部から脱落しないように収容溝に位置決めするために、前記一対の位置決めリブの外端の相対する内面にそれぞれ、内凸部が凸設されることが好ましい。
【００１１】
また、ソケットレンチの頭部を収納するために、前記嵌合環溝をカバー部材と掛合部との間に凹設することが好ましい。
【考案の効果】
【００１２】
本考案に係る手工具収納装置は上記の課題を解決するものであるので、複数のドライバービット、コネクタ、ソケットレンチを所定の位置に強固に収納することができると共に、盗難防止機能も提供することができる。
【図面の簡単な説明】
【００１３】
【図１】本考案に係る手工具収納装置における第一実施例の斜視図である。
【図２】本考案に係る手工具収納装置における第一実施例の部分分解図である。
【図３】本考案に係る手工具収納装置における第一実施例において、カバー部材を開放した状態示す斜視図である。
【図４】本考案に係る手工具収納装置における第二実施例の部分分解図である。
【図５】本考案に係る手工具収納装置における第二実施例において、壁のフックに掛止される状態を示す斜視図である。
【図６】本考案に係る手工具収納装置における第二実施例において、ベルトに掛止される状態を示す斜視図である。
【図７】本考案に係る手工具収納装置における第二実施例の側視図である。
【図８】本考案に係る手工具収納装置における第二実施例において、カバー部材を開放した状態を示す側視図である。
【図９】図８における９−９断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１及び図２に示すように、本考案に係る手工具収納装置の第一実施例は、収容部材１０と、保持カバー２０とを有し、その内、該収容部材１０は、細長形の本体１０１と、複数のドライバービットを収納するために、該本体１０１の両側にそれぞれ間隔をおいて形成されると共に、それぞれ同一方向へ向かって傾斜して配列される複数の収容溝１０２と、該各収容溝１０２の両側から延出する一対の位置決めリブ１０３と、該本体１０１の一端に穿設される枢設孔１０４と、該本体１０１の他端に形成される掛合凸部１０５と、該本体１０１の底面に長手方向に沿って設置される収納チューブ１０６とを備えるものである。
【００１６】
図９に示すように、前記一対の位置決めリブ１０３は、外端の相対する内面にそれぞれ内凸部１０３ａが凸設されることが好ましく、ドライバービットを該内凸部１０３ａへ嵌め込み側面から押し込んで配置することもできる。尚、前記掛合凸部１０５は、該本体１０１に凸設されるブロックであることが好ましく、前記収納チューブ１０６は、軸方向に形成されると共に、ソケットレンチ５１とドライバービット４０とを連結するためのコネクタ５０を収納させる貫通孔を有し（図７に示す）、また、そのコネクタ５０の形状と対応すると共に、コネクタ５０の脱落を防ぐために、該貫通孔の一端を小径とし、他端を大径とすることが好ましい。
【００１７】
前記保持カバー２０は、回転可能に前記収容部材１０に枢設され、細長のプレート状を呈するカバー部材２０１と、該カバー部材２０１の両側からそれぞれ下方向に向かって延出すると共に、前記複数の収容溝１０２をカバーする一対の保持部２０２と、該カバー部材２０１の一端に形成されると共に、回転可能に前記枢設孔１０４に挿入される軸部２０３と、該軸部２０３と反対するカバー部材２０１の他端から下方向に向かって延出すると共に、前記収納チューブ１０６の大径開口をカバーする掛合部２０４と、該掛合部２０４の内面に凸設されると共に、着脱可能に前記掛合凸部１０５に掛合される掛合フック２０５と、該カバー部材２０１における、前記本体１０１に枢設される一端と対応する端から延出する弧形の弧状部２０７とを備えるものであり、さらに、該軸部２０３は、該一対の保持部２０２の一端の内面から互いに相対するように延出すると共に、回転可能に前記枢設孔１０４に挿入される。
【００１８】
図３に示すように、本考案に係る手工具収納装置の第一実施例を使用する時は、保持カバー２０の軸部２０３を収容部材１０の枢設孔１０４に回転可能に枢設することにより、該保持カバー２０を収容部材１０に対して開放可能となるようにする。尚、前記保持カバー２０の開放最大限度は、弧状部２０７の一端が本体１０１に当接するまでである。そして、複数のドライバービット４０をそれぞれ収容部材１０の複数の収容溝１０２に斜めに位置させるように、対応する位置決めリブ１０３に嵌め込み、収納チューブ１０６の大径開口からコネクタ５０を挿設して収納し、更に、収容部材１０を覆うように、掛合フック２０５が掛合凸部１０５と掛合されるまで前記保持カバー２０を回転させる。この構成によれば、一対の保持部２０２がそれぞれ本体１０１の両側に位置して複数の収容溝１０２をカバーするので、収納されるドライバービット４０の側面からの脱落を防止することができる。
【００１９】
図４に示すように、本考案に係る手工具収納装置の第二実施例は、収容部材１０と、保持カバー２０と、吊り下げ部材３０とを有し、その内、収容部材１０及び保持カバー２０は略第一実施例と同一であり、該保持カバー２０は、カバー部材２０１における弧状部２０７と反対する端に凹設される嵌合環溝２０６と、カバー部材２０１の中央に穿設される結合孔２０８とを備えることが好ましく、異なる点としては、該吊り下げ部材３０が設置されることである。尚、前記嵌合環溝２０６は、前記カバー部材２０１と掛止部２０４との間に凹設されることが好ましい。
【００２０】
前記吊り下げ部材３０は、前記カバー部材２０１と垂直すると共に、前記保持部２０２の側部に位置する細長状の吊り下げ本体３０１と、該吊り下げ本体３０１の一端上部から前記カバー部材２０１と平行するように延出する結合板と、該結合板の底面に凸設されると共に、前記結合孔２０８に嵌入される嵌合凸部３０２と、該吊り下げ本体３０１の他端に設置されると共に、中央に長形の掛け孔を有する掛け部３０３と、該吊り下げ本体３０１の外側面に形成される挟持部３０４と、該結合板の側部上面から延出するＣ字形の収容フック３０５とを備えるものであり、さらに、ソケットレンチ５１は、ハンドル部が該吊り下げ部材３０の収容フック３０５に取り付けられると共に、頭部が前記保持カバー２０の嵌合環溝２０６に取り付けられる。
【００２１】
図５及び図６に示すように、本考案に係る手工具収納装置の第二実施例を使用する時は、吊り下げ部材３０の掛け部３０３を介して壁式フックＡに掛止させてもよく、該吊り下げ部材３０の挟持部３０４を介してベルトＢに掛止させてもよいので、使用上非常に便利である。
【００２２】
図７に示すように、本考案に係る手工具収納装置は、保持カバー２０が収容部材１０をカバーすると、収納機能だけでなく盗難防止機能も提供することができる。例えば、ドライバービット４０が収容部材１０の収容溝１０２に配置される時、前記保持カバー２０の保持部２０２は、収容部材１０の両側に位置してドライバービット４０をカバーするので、取り外せなくなる。また、コネクタ５０が収納チューブ１０６に配置される時には、保持カバー２０の係止部２０４がコネクタ５０の前端をカバーするので、これもまた取り外すことができない。
【産業上の利用可能性】
【００２３】
本考案は上記の構成を有するので、複数のドライバービット、コネクタ、ソケットレンチを収納することができると共に、盗難防止機能も提供することができる。
【符号の説明】
【００２４】
１０                  収容部材
１０１            本体
１０２            収容溝
１０３            位置決めリブ
１０３ａ          内凸部
１０４            枢設孔
１０５            掛合凸部
１０６            収納チューブ
２０                  保持カバー
２０１            カバー部材
２０２            保持部
２０３            軸部
２０４            掛合部
２０５            掛合フック
２０６            嵌合環溝
２０７            弧状部
２０８            結合孔
３０                  吊り下げ部材
３０１            吊り下げ本体
３０２            嵌合凸部
３０３            掛け部
３０４            挟持部
３０５            収容フック
４０                  ドライバービット
５０                  コネクタ
５１                  ソケットレンチ
Ａ                    壁式フック
Ｂ                    ベルト
【図１】
0003162962.tif 000003
【図２】
0003162962.tif 000004
【図３】
0003162962.tif 000005
【図４】
0003162962.tif 000006
【図５】
0003162962.tif 000007
【図６】
0003162962.tif 000008
【図７】
0003162962.tif 000009
【図８】
0003162962.tif 000010
【図９】
0003162962.tif 000011